(57)【要約】【課題】ユーザーが無理な指定色調整を行うことを回避して、指定色調整にかかる手間と時間を低減できるようにする。【解決手段】ＰＣ１の制御部１１は、指定色調整画面１３１において色調整対象として指定された色の数が予め定められた閾値以上であるか否かを判定し、指定された色の数が予め定められた閾値以上であると判定した場合に、プリンター２の色再現性の調整を推奨するメッセージ画面を表示部１３に表示させる。【選択図】図５
2019092050.tif 000002
【特許請求の範囲】
【請求項１】
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置であって、
前記指定された色の数が予め定められた閾値以上であるか否かを判定する判定部と、
前記判定部により前記指定された色の数が予め定められた閾値以上であると判定された場合に、前記プリンターの色再現性の調整を推奨する推奨部と、
を備える制御装置。
【請求項２】
前記判定部は、前記指定された色の数が予め定められた閾値以上であると判定した場合に、前記指定された色に傾向があるか否かを判定し、
前記推奨部は、前記判定部による前記指定された色に傾向があるか否かの判定結果に基づいて、推奨する調整内容を切り替える請求項１に記載の制御装置。
【請求項３】
前記推奨部は、前記判定部により前記指定された色に傾向があると判定された場合に、前記指定された色の傾向に基づいて推奨する調整内容を切り替える請求項２に記載の制御装置。
【請求項４】
前記判定部は、前記指定された色の数が予め定められた閾値以上ではないと判定した場合に、前記指定された色の調整値に傾向があるか否かを判定し、
前記推奨部は、前記判定部により前記指定された色の調整値に傾向があると判定された場合は、前記プリンターのトーンカーブ調整を推奨する請求項１〜３のいずれか一項に記載の制御装置。
【請求項５】
前記判定部は、前記指定された色の数が予め定められた閾値以上ではないと判定した場合に、前記指定された色の調整影響範囲が重複しているか否かを判定し、
前記推奨部は、前記判定部により前記調整影響範囲が重複していると判定された場合に、画像編集ソフトに戻って印刷対象の画像データを修正することを推奨する請求項１〜３のいずれか一項に記載の制御装置。
【請求項６】
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置であって、
前記指定された色の調整値に傾向があるか否かを判定する判定部と、
前記判定部により前記指定された色の調整値に傾向があると判定された場合に、前記プリンターのトーンカーブ調整を推奨する推奨部と、
を備える制御装置。
【請求項７】
前記推奨部により推奨される調整を前記プリンターに自動的に実行させる制御部を備える請求項１〜３のいずれか一項に記載の制御装置。
【請求項８】
前記指定された色の調整値の傾向に応じて調整したトーンカーブを前記プリンターに自動的に適用させる制御部を備える請求項４又は６に記載の制御装置。
【請求項９】
前記制御部は、更に、前記プリンターに前記調整したトーンカーブを適用させて前記印刷対象の画像データに基づく確認画像を印刷させる請求項８に記載の制御装置。
【請求項１０】
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置であって、
前記指定された色の調整影響範囲が重複しているか否かを判定する判定部と、
前記判定部により前記指定された色の調整影響範囲が重複していると判定された場合に、画像編集ソフトに戻って印刷対象の画像データを修正することを推奨する推奨部と、
を備える制御装置。
【請求項１１】
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置に用いられるコンピュータを、
前記指定された色の数が予め定められた閾値以上であるか否かを判定する判定部、
前記判定部により前記指定された色の数が予め定められた閾値以上であると判定された場合に、前記プリンターの色再現性の調整を推奨する推奨部、
として機能させるためのプログラム。
【請求項１２】
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置に用いられるコンピュータを、
前記指定された色の調整値に傾向があるか否かを判定する判定部、
前記判定部により前記指定された色の調整値に傾向があると判定された場合に、前記プリンターのトーンカーブ調整を推奨する推奨部、
として機能させるためのプログラム。
【請求項１３】
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置に用いられるコンピュータを、
前記指定された色の調整影響範囲が重複しているか否かを判定する判定部、
前記判定部により前記指定された色の調整影響範囲が重複していると判定された場合に、画像編集ソフトに戻って印刷対象の画像データを修正することを推奨する推奨部、
として機能させるためのプログラム。
【発明の詳細な説明】
【技術分野】
【０００１】
本発明は、制御装置及びプログラムに関する。
【背景技術】
【０００２】
従来、ユーザーがプリンターにより出力された印刷画像を目視確認し、修正したい色があった場合に、その色をジョブのプレビュー画像上で指定して手動で調整値を入力する指定色調整が行われている。
【０００３】
指定色調整に係る技術として、例えば、特許文献１には、ユーザーが指定した色の調整により影響する色を表示し、影響範囲から除外したい色が選択されると、選択された色を影響範囲から除外する技術が記載されている。また、例えば、特許文献２には、入力された画像データに対し、ユーザーが修正前の色と修正後の色、及び修正が及ぼす範囲を指定する修正操作を加えることにより補正量を求め、求めた補正量により色変換用テーブルを修正する方法が記載されている。
【先行技術文献】
【特許文献】
【０００４】
【特許文献１】特開２０１２−２３５４０５号公報
【特許文献２】特開２０００−１３６２８号公報
【発明の概要】
【発明が解決しようとする課題】
【０００５】
指定色調整では、指定した色がユーザーの所望した色になるまでユーザーが手動で調整値の入力と印刷を繰り返す必要がある。従来、プリンターの色再現性の調整が適切に行われていない場合であっても、ユーザーが指定色調整で無理な色調整を行っている場合があり、手間と時間がかかっていた。
【０００６】
本発明の課題は、ユーザーが無理な指定色調整を行うことを回避して、指定色調整にかかる手間と時間を低減できるようにすることである。
【課題を解決するための手段】
【０００７】
上記課題を解決するため、請求項１に記載の発明は、
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置であって、
前記指定された色の数が予め定められた閾値以上であるか否かを判定する判定部と、
前記判定部により前記指定された色の数が予め定められた閾値以上であると判定された場合に、前記プリンターの色再現性の調整を推奨する推奨部と、
を備える。
【０００８】
請求項２に記載の発明は、請求項１に記載の発明において、
前記判定部は、前記指定された色の数が予め定められた閾値以上であると判定した場合に、前記指定された色に傾向があるか否かを判定し、
前記推奨部は、前記判定部による前記指定された色に傾向があるか否かの判定結果に基づいて、推奨する調整内容を切り替える。
【０００９】
請求項３に記載の発明は、請求項２に記載の発明において、
前記推奨部は、前記判定部により前記指定された色に傾向があると判定された場合に、前記指定された色の傾向に基づいて推奨する調整内容を切り替える。
【００１０】
請求項４に記載の発明は、請求項１〜３のいずれか一項に記載の発明において、
前記判定部は、前記指定された色の数が予め定められた閾値以上ではないと判定した場合に、前記指定された色の調整値に傾向があるか否かを判定し、
前記推奨部は、前記判定部により前記指定された色の調整値に傾向があると判定された場合は、前記プリンターのトーンカーブ調整を推奨する。
【００１１】
請求項５に記載の発明は、請求項１〜３のいずれか一項に記載の発明において、
前記判定部は、前記指定された色の数が予め定められた閾値以上ではないと判定した場合に、前記指定された色の調整影響範囲が重複しているか否かを判定し、
前記推奨部は、前記判定部により前記調整影響範囲が重複していると判定された場合に、画像編集ソフトに戻って印刷対象の画像データを修正することを推奨する。
【００１２】
請求項６に記載の発明は、
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置であって、
前記指定された色の調整値に傾向があるか否かを判定する判定部と、
前記判定部により前記指定された色の調整値に傾向があると判定された場合に、前記プリンターのトーンカーブ調整を推奨する推奨部と、
を備える。
【００１３】
請求項７に記載の発明は、請求項１〜３のいずれか一項に記載の発明において、
前記推奨部により推奨される調整を前記プリンターに自動的に実行させる制御部を備える。
【００１４】
請求項８に記載の発明は、請求項４又は６に記載の発明において、
前記指定された色の調整値の傾向に応じて調整したトーンカーブを前記プリンターに自動的に適用させる制御部を備える。
【００１５】
請求項９に記載の発明は、請求項８に記載の発明において、
前記制御部は、更に、前記プリンターに前記調整したトーンカーブを適用させて前記印刷対象の画像データに基づく確認画像を印刷させる。
【００１６】
請求項１０に記載の発明は、
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置であって、
前記指定された色の調整影響範囲が重複しているか否かを判定する判定部と、
前記判定部により前記指定された色の調整影響範囲が重複していると判定された場合に、画像編集ソフトに戻って印刷対象の画像データを修正することを推奨する推奨部と、
を備える。
【００１７】
請求項１１に記載の発明のプログラムは、
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置に用いられるコンピュータを、
前記指定された色の数が予め定められた閾値以上であるか否かを判定する判定部、
前記判定部により前記指定された色の数が予め定められた閾値以上であると判定された場合に、前記プリンターの色再現性の調整を推奨する推奨部、
として機能させる。
【００１８】
請求項１２に記載の発明のプログラムは、
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置に用いられるコンピュータを、
前記指定された色の調整値に傾向があるか否かを判定する判定部、
前記判定部により前記指定された色の調整値に傾向があると判定された場合に、前記プリンターのトーンカーブ調整を推奨する推奨部、
として機能させる。
【００１９】
請求項１３に記載の発明のプログラムは、
印刷対象の画像データに基づいてプリンターにより出力された印刷画像における色調整の対象となる色の指定及び前記指定された色の調整値の入力を受け付けて、前記指定された色及び前記入力された調整値に基づいて前記印刷対象の画像データに色調整を行う制御装置に用いられるコンピュータを、
前記指定された色の調整影響範囲が重複しているか否かを判定する判定部、
前記判定部により前記指定された色の調整影響範囲が重複していると判定された場合に、画像編集ソフトに戻って印刷対象の画像データを修正することを推奨する推奨部、
として機能させる。
【発明の効果】
【００２０】
本発明によれば、ユーザーが無理な指定色調整を行うことを回避して、指定色調整にかかる手間と時間を低減することが可能となる。
【図面の簡単な説明】
【００２１】
【図１】第１の実施形態における色調整システムの全体構成例を示す図である。
【図２】図１のＰＣの機能的構成を示すブロック図である。
【図３】図１のプリンターの機能的構成を示すブロック図である。
【図４】指定色調整画面の一例を示す図である。
【図５】指定色調整処理の流れを示すフローチャートである。
【図６】設定画面の一例を示す図である。
【図７】第２の実施形態における色調整システムの全体構成例を示す図である。
【発明を実施するための形態】
【００２２】
以下、本実施形態を図面に基づいて詳細に説明する。ただし、発明の範囲は図示例に限定されない。
【００２３】
＜第１の実施形態＞
（色調整システム１００の構成）
図１は、本発明の第１の実施形態に係る色調整システム１００の全体構成例を示す図である。
図１に示すように、第１の実施形態に係る色調整システム１００は、ＰＣ（Personal Computer）１とプリンター２とがＬＡＮ（Local Area Network）等の通信ネットワークＮを介して接続されて構成されている。
【００２４】
（ＰＣ１の構成）
ＰＣ１は、ユーザー操作に応じて印刷対象の画像データに対する指定色調整を行い、指定色調整後の画像データをプリンター２に出力して印刷を行わせたり、プリンター２に各種調整を行わせたりする制御装置である。
【００２５】
図２は、ＰＣ１の機能的構成を示すブロック図である。図２に示すように、ＰＣ１は、制御部１１、操作部１２、表示部１３、記憶部１４、通信部１５等を備えて構成され、各部はバス１６を介して接続されている。
【００２６】
制御部１１は、ＣＰＵ（Central Processing Unit）、ＲＡＭ（Random Access Memory）等を備えて構成される。制御部１１のＣＰＵは、操作部１２の操作に応じて、記憶部１４に記憶されているシステムプログラムや各種処理プログラムを読み出してＲＡＭ内に展開し、展開されたプログラムに従って各種処理を実行する。
例えば、制御部１１は、指定色調整アプリケーション１４１との協働により指定色調整処理（図５参照）を実行することにより、判定部、制御部として機能する。また、表示部１３との協働により推奨部として機能する。
【００２７】
操作部１２は、カーソルキー、文字入力キー、及び各種機能キー等を備えたキーボードと、マウス等のポインティングデバイスを備えて構成され、キーボードに対するキー操作やマウス操作により入力された操作信号を制御部１１に出力する。
【００２８】
表示部１３は、ＬＣＤ（Liquid Crystal Display）を備え、ＣＰＵ１１からの指示に従って、各種操作画面や各種処理結果を表示する。
【００２９】
記憶部１４は、不揮発性の半導体メモリーやハードディスク等の記憶装置により構成され、制御部１１で実行される各種プログラムやプログラムにより処理の実行に必要なパラメーター、或いは処理結果等のデータを記憶する。
【００３０】
本実施形態において、記憶部１４には、後述する指定色調整処理を実行するための指定色調整アプリケーション１４１や、印刷対象の画像データに色変換処理、ラスタライズ処理、スクリーニング（網点化）処理等の各種画像処理を施してプリンター２に出力するプログラム等が記憶されている。
【００３１】
また、記憶部１４には、Ｃ（シアン）、Ｍ（マゼンタ）、Ｙ（イエロー）、Ｋ（ブラック）の各色成分の値からなる印刷対象の画像データをプリンター２の色再現特性に応じて色変換するための色変換プロファイル１４２が記憶されている。
【００３２】
ここで、色変換プロファイル１４２について説明する。
一般的に、ＣＭＹＫやＲＧＢの表色系は、入出力デバイスの色再現特性に依存している。例えば、同じＣＭＹＫの画像データをそのまま異なるプリンターで印刷した場合、プリンターによって異なる色で再現されてしまう。そこで、入出力デバイスの色再現特性を調整するために、印刷対象の画像データに色変換処理が実行される。色変換プロファイル１４２は、この色変換処理に用いられるプロファイルであり、ＩＣＣ（International Color consortium）により定義されたプロファイルである。本実施形態において、色変換プロファイル１４２は、例えば、印刷対象の画像データが表すＣＭＹＫ値が共通色空間であるＬ＊ａ＊ｂ＊のどの色値を示すものであるかを記述したプロファイルと、共通色空間であるＬ＊ａ＊ｂ＊で表現された色に対応するプリンター２のＣＭＹＫ値を記述したプロファイルとにより構成されている。
【００３３】
また、記憶部１４には、画像編集アプリケーションにより編集された画像データや、通信部１５により外部装置から送信された画像データが記憶されている。
【００３４】
通信部１５は、ＬＡＮ（Local Area Network）カード等の通信制御カードで構成され、通信ネットワークＮを介してプリンター２等の外部装置との間でデータの送受信を行う。
【００３５】
（プリンター２の構成）
プリンター２は、ＰＣ１から受信した色変換後の画像データ（ＣＭＹＫ値）に基づいて、シアン、マゼンタ、イエロー、ブラックの各色成分の出力色により、用紙上に画像を印刷する。
【００３６】
図３は、プリンター２の機能的構成を示すブロック図である。図３に示すように、プリンター２は、制御部２１、操作部２２、表示部２３、記憶部２４、通信部２５、画像処理部２６、プリント部２７、インラインセンサー２８等を備えて構成され、各部はバス２９を介して接続されている。
【００３７】
制御部２１は、ＣＰＵ、ＲＡＭ等を備えて構成される。制御部２１のＣＰＵは、操作部２２の操作に応じて、記憶部２４に記憶されているシステムプログラムや各種処理プログラムを読み出してＲＡＭ内に展開し、展開されたプログラムに従って各種処理を実行する。
【００３８】
操作部２２は、操作キーや表示部２３の画面に重ねられて配置されたタッチパネル等の入力デバイスを備え、これらの入力デバイスに対する入力操作を操作信号に変換して制御部２１に出力する。
【００３９】
表示部２３は、ＬＣＤを備え、制御部２１からの指示に従って、各種操作画面や各種処理結果を表示する。
【００４０】
記憶部２４は、不揮発性の半導体メモリーやハードディスク等の記憶装置により構成され、制御部２１で実行される各種プログラムやプログラムにより処理の実行に必要なパラメーター、或いは処理結果等のデータを記憶する。
例えば、記憶部２４には、ＰＣ１から送信された印刷対象の画像データに基づいてプリント部２７に印刷を行わせるためのプログラムや、多次元キャリブレーション、一次元キャリブレーション、最高濃度調整、グレーバランスキャリブレーション、トーンカーブ調整等の、プリンター２の色再現性を調整するためのプログラム等が記憶されている。
【００４１】
通信部２５は、ＬＡＮカード等の通信制御カードで構成され、通信ネットワークＮを介してＰＣ１等の外部装置との間でデータの送受信を行う。
【００４２】
画像処理部２６は、印刷対象の画像データに対し、多次元キャリブレーション、一次元キャリブレーション、最高濃度調整、グレーバランスキャリブレーション、トーンカーブ調整等により生成されたＬＵＴ（Look Up Table）やカーブを適用した各種補正処理や、圧縮・伸張処理等の画像処理を施してプリント部２７に出力する。
【００４３】
プリント部２７は、画像処理部２６から入力された画像データに基づいて、電子写真方式又はインクジェット方式により用紙に画像を印刷する。プリント部２７により用紙に印刷された画像を印刷画像と呼ぶ。
【００４４】
インラインセンサー２８は、用紙搬送方向のプリント部２７の下流側に設けられ、プリント部２７により用紙に印刷された画像を光学的に読み取って、その読み取り値（測色値）を制御部２１に出力する。
【００４５】
（色調整システム１００の動作）
次に、本実施形態における動作ついて説明する。
ＰＣ１において、操作部１２により画像データの印刷が指示されると、制御部１１は、印刷対象の画像データに色変換プロファイル１４２を適用した色変換処理等の画像処理を施して、通信部１５によりプリンター２に送信する。プリンター２においては、通信部２５により画像データを受信すると、受信した画像データに画像処理部２６により画像処理を施して、画像処理済みの画像データに基づいてプリント部２７により用紙に画像を印刷して出力する。
【００４６】
ユーザーが印刷画像を目視確認し、修正したい色が存在した場合、ユーザーは、指定色調整画面１３１において修正したい色の指定及び調整値の入力を行って色調整を行うことができる。
図４は、指定色調整画面１３１の一例を示す図である。図４に示すように、指定色調整画面１３１には、プレビュー画像領域１３１ａと、調整点表示領域１３１ｂと、計算結果領域１３１ｃと、調整値入力領域１３１ｄと、調整後表示領域１３１ｅと、印刷ボタン１３１ｆと、確定ボタン１３１ｇと、が設けられている。
【００４７】
プレビュー画像領域１３１ａには、印刷画像のプレビュー画像が表示される。ユーザーは、操作部１２により、プレビュー画像上の調整したい色の点（調整点）を指定（例えば、クリック）することで、調整対象の色を指定することができる。プレビュー画像領域１３１ａにおいて調整点が指定されると、指定された調整点の色及びそのＣＭＹＫ値が調整点表示領域１３１ｂに表示される。プレビュー画像上から複数の調整点が指定されると、調整点表示領域１３１ｂには、各調整点に対応する複数行の色及びＣＭＹＫ値が表示される。調整点の指定が終了し、表示された中から操作部１２により所望の行が選択されると、その行の色が調整値の入力対象となる。ユーザーは調整点表示領域１３１ｂの各行を順次選択し、調整値を入力する。
【００４８】
調整点表示領域１３１ｂにおいて、いずれかの行が選択されると、計算結果領域１３１ｃに、選択された調整点に対応する色のＣＭＹＫ値を色変換プロファイル１４２により色変換した値（理論値）及び色見本が表示される。調整値入力領域１３１ｄからＣＭＹＫ値の調整値が入力されると、入力された調整値を計算結果に加算した値及びその色見本が調整後表示領域１３１ｅに表示される。ユーザーは調整点表示領域１３１ｂの各行を順次選択し、各調整点に対応する調整値を入力する。
【００４９】
印刷ボタン１３１ｆが押下されると、入力された調整値に基づいて仮修正された色変換プロファイル１４２に基づいて印刷対象の画像データに色変換が行われ、プリンター２により仮印刷が行われる。ユーザーは、色調整後の印刷画像を確認することができる。確定ボタン１３１ｇが押下されると、入力された調整値が確定され、確定された調整値に基づいて色変換プロファイル１４２が修正される。この修正された色変換プロファイル１４２を印刷対象の画像データに適用して色変換処理を行うことで、印刷対象の画像データに色調整を行うことができる。
なお、指定色調整画面１３１により指定された色や確定前の入力された調整値は、それらを削除する操作や指定色調整画面１３１を閉じる操作が行われるまで制御部１１のＲＡＭに保持される。
【００５０】
このようにして、ユーザーは、指定色調整を行うことができる。しかしながら、指定色調整画面１３１において、一つ一つ調整対象の色を指定し、指定した色に対して一つ一つ調整値を入力し、印刷して確認を行い、満足がいかなければ調整値の再修正を行ったり更なる指定色の追加及び調整値の入力を行ったりを繰り返す指定色調整の作業は、非常に手間と時間がかかる。
また、ユーザーが満足する色で印刷されない原因として、プリンター２において目標となる色再現性を実現できるようにするための調整（色再現性の調整）が十分に行われずにプリンター２の色再現性が低下している場合がある。この場合は、プリンター２の色再現性の調整が行われれば、一つ一つの色を指定して指定色調整をしなくてもユーザーの満足できる色で印刷できる場合がある。
そこで、本実施形態における指定色調整処理では、ユーザーが色調整の対象として指定した色の数や特徴に応じてプリンター２の色再現性の調整を推奨することで、無理な指定色調整を回避して、指定色調整に係る手間と時間を軽減する。
【００５１】
図５は、ＰＣ１の制御部１１により実行される指定色調整処理を示すフローチャートである。指定色調整処理は、操作部１２により指定色調整が指示された場合に、制御部１１と記憶部１４に記憶されている指定色調整アプリケーション１４１との協働により実行される。
【００５２】
まず、制御部１１は、表示部１３に指定色調整画面１３１を表示させる（ステップＳ１）。
次いで、制御部１１は、プレビュー画像領域１３１ａに表示された印刷画像のプレビュー画像おいて操作部１２により調整したい色（調整点）が指定されるのを待機する（ステップＳ２）。プレビュー画像領域１３１ａにおいて調整したい色が指定されたと判断されると（ステップＳ２；ＹＥＳ）、制御部１１は、指定された色の数が予め定められた所定の閾値（例えば、１０）以上であるか否かを判定する（ステップＳ３）。
【００５３】
ステップＳ３において、指定された色の数が所定の閾値以上であると判定した場合（ステップＳ３；ＹＥＳ）、制御部１１は、プリンター２の色再現性の調整を推奨するメッセージ画面を表示部１３に表示させる（ステップＳ４）。
ここで、調整対象として指定された色の数が所定の閾値以上であるということは、プリンター２により出力された印刷画像にユーザーが満足できない色が多数存在することを表しており、この場合、そもそもプリンター２において色再現性の調整がされておらず、プリンター２の色安定性が低下している可能性が考えられる。そこで、制御部１１は、指定された色の数が所定の閾値以上であると判定した場合、プリンター２の色再現性の調整を推奨するメッセージを表示部１３に表示させる。このように、ユーザーにプリンター２の色再現性の調整を実施させることで、無理な指定色調整を回避させ、時間と手間を低減することができる。
【００５４】
次いで、制御部１１は、指定された色に傾向があるか否かを判断する（ステップＳ５）。例えば、指定された色が単色ベタ（Ｃ、Ｍ、Ｙ、Ｋの何れか単色）である、２次色ベタ（Ｃ、Ｍ、Ｙの２色を混ぜ合わせた色）である、グレー（無彩色）である等の傾向があるか否かを判断する。
【００５５】
指定された色に傾向があると判断した場合（ステップＳ５；ＹＥＳ）、制御部１１は、指定された色の傾向に応じた種類の調整を推奨するメッセージ画面を表示部１３に表示させ（ステップＳ６）、指定色調整処理を終了する。
ステップＳ６において、制御部１１は、例えば、指定された色が単色ベタである場合、最高濃度調整を推奨するメッセージ画面を表示部１３に表示させる。指定された色が２次色ベタである場合、多次元キャリブレーションを推奨するメッセージ画面を表示部１３に表示させる。指定された色がグレーである場合、グレーバランスキャリブレーションを推奨するメッセージ画面を表示部１３に表示させる。
【００５６】
指定された色に傾向がないと判断した場合（ステップＳ５；ＮＯ）、制御部１１は、キャリブレーション（一次元キャリブレーション）を推奨するメッセージ画面を表示部１３に表示させ（ステップＳ７）、指定色調整処理を終了する。
【００５７】
このように、指定された色の傾向の有無や傾向に応じてプリンター２で実施すべき調整の種類をメッセージ画面で推奨する（メッセージ画面で推奨する調整内容を切り替える）ので、どの調整を実施すべきかをユーザーが容易に認識することができ、指定色調整にかかる手間と時間を低減することが可能となる。
【００５８】
ここで、最高濃度調整は、プリンター２において出力可能な最高濃度を調整するものである。多次元キャリブレーションは、プリンター２において出力されるＣ、Ｍ、Ｙの２次色の色再現性を調整するものである。グレーバランス調整は、プリンター２において出力される有彩色のグレーバランスを調整するものである。キャリブレーションは、Ｃ、Ｍ、Ｙ、Ｋの各色毎の色再現性を調整するものである。いずれの調整においても、プリンター２のプリント部２７により複数階調のパッチが設けられたチャート画像を印刷出力し、そのチャート画像をインラインセンサー２８により読み取って各パッチの測色値を取得し、取得した測色値に基づいて調整用のＬＵＴやカーブを生成する。
【００５９】
一方、ステップＳ３において、指定された色の数が所定の閾値以上ではないと判断した場合（ステップＳ３；ＮＯ）、制御部１１は、指定された色に対する調整値の入力を受け付ける（ステップＳ８）。
【００６０】
次いで、制御部１１は、指定された色の調整影響範囲が重複しているか否かを判断する（ステップＳ９）。
ここで、指定色調整において、指定された色だけを変更すると周囲の色との連続性がくずれてトーンジャンプが起きてしまう。そこで、指定色調整においては、トーンジャンプを防ぐため、指定された色だけでなく、指定された色から所定範囲内にある周囲の色も調整する。この指定された色と併せて調整される周囲の色の範囲を調整影響範囲と呼ぶ。本実施形態では、Ｌ＊ａ＊ｂ＊色空間において、指定した色から所定範囲内（例えば、±３以内）の色も併せて調整する。ステップＳ９においては、Ｌ＊ａ＊ｂ＊色空間において、或る指定色から所定範囲内に他の指定色の調整影響範囲が含まれている場合に、指定された色の調整影響範囲が重複していると判断する。
【００６１】
指定された色の調整影響範囲が重複していると判断した場合（ステップＳ９；ＹＥＳ）、制御部１１は、画像編集ソフトに戻って印刷対象の画像データを修正することを推奨するメッセージ画面を表示部１３に表示させ（ステップＳ１０）、指定色調整処理を終了する。
指定された色の調整影響範囲が重複している場合にそのまま調整を行うと、色調整の結果がおかしくなってしまう。そこで、指定された色の調整影響範囲が重複している場合に、画像編集ソフトに戻って元の画像データを修正することを推奨する。これにより、無理な指定色調整を行わずに画像編集に戻れることで指定色調整にかかる手間や時間を低減することが可能となる。
【００６２】
なお、制御部１１は、どの指定色の調整影響範囲が重複しているのかをメッセージ画面に併せて表示させることが好ましい。これにより、元の画像のどの色を修正すればよいのかをユーザーが容易に認識することが可能となる。
【００６３】
指定された色の調整影響範囲が重複していないと判断した場合（ステップＳ９；ＮＯ）、制御部１１は、入力された調整値に傾向があるか否かを判断する（ステップＳ１１）。
例えば、Ｃ、Ｍ、Ｙ、Ｋのいずれかの色の値を全体的に増加（減少）する傾向や、Ｃ、Ｍ、Ｙ、Ｋのいずれかの色の高階調側（低階調側）の値を増加（減少）する等の傾向があるか否かを判断する。
【００６４】
入力された調整値に傾向があると判断した場合（ステップＳ１１；ＹＥＳ）、制御部１１は、プリンター２のトーンカーブ調整を推奨するメッセージ画面を表示部１３に表示させ（ステップＳ１２）、指定色調整処理を終了する。
【００６５】
例えば、下記の例のように、複数の色の調整値にシアンを増加させる傾向がある場合、シアンのトーンカーブ調整を推奨するメッセージ画面を表示部１３に表示させる。
（例）色１の調整値（Ｃ，Ｍ，Ｙ，Ｋ）＝（+15,0,0,0）
色２の調整値（Ｃ，Ｍ，Ｙ，Ｋ）＝（+10,0,0,0）
色３の調整値（Ｃ，Ｍ，Ｙ，Ｋ）＝（+5,0,0,0）
【００６６】
ここで、トーンカーブ調整とは、プリンター２におけるＣ、Ｍ、Ｙ、Ｋ各色の入出力濃度カーブ（トーンカーブ）を調整するものである。トーンカーブ調整では、トーンカーブの形状を修正することで、トーンカーブの形状を変更した色成分の画像全体における明るさ、コントラスト、色味を変更することができる。
このように、入力された調整値に傾向があると判断した場合、プリンター２のトーンカーブ調整を推奨するメッセージ画面を表示部１３に表示させることで、調整値に傾向がある色を一つ一つ指定色調整にて調整することを回避し、指定色調整にかかる手間と時間を低減することが可能となる。
【００６７】
一方、調整値に傾向がないと判断した場合（ステップＳ１１：ＮＯ）、制御部１１は、操作部１２により印刷ボタン１３１ｆが押下されたか否かを判断する（ステップＳ１３）。
印刷ボタン１３１ｆが押下されたと判断した場合（ステップＳ１３；ＹＥＳ）、制御部１１は、印刷対象の画像データを入力された調整値に基づいて色調整した画像データを通信部１５によりプリンター２に送信し、確認画像の印刷を行わせる（ステップＳ１４）。
【００６８】
次いで、制御部１１は、操作部１２により確定ボタン１３１ｇが押下されたか否かを判断する（ステップＳ１５）。
確定ボタン１３１ｇが押下されていないと判断した場合（ステップＳ１５；ＮＯ）、制御部１１は、ステップＳ８に戻り、ステップＳ８以降の処理を繰り返し実行する。
確定ボタン１３１ｇが押下されたと判断した場合（ステップＳ１５；ＹＥＳ）、制御部１１は、入力された調整値に基づいて色変換プロファイル１４２を修正し（ステップＳ１６）、指定色調整処理を終了する。
【００６９】
指定色調整処理においてプリンター２の色再現性の調整が推奨された場合、ユーザーは、操作部１２により推奨された調整を実行するための調整画面を表示部１３に表示させて、推奨された調整を実行する。しかし、ユーザーによっては、推奨される調整を手動で実行する手間を省きたい場合がある。
【００７０】
そこで、制御部１１は、図５に示す指定色調整処理のステップＳ６、７、１２において推奨された調整をプリンター２に自動的に実行させることとしてもよい。例えば、図６に示すように、指定色調整アプリケーション１４１の設定画面１３２からプリンター２の調整を自動実行することが選択されると、制御部１１は、指定色調整処理で推奨された調整を自動実行する設定を記憶部２４に記憶させる。そして、指定色調整処理で推奨された調整を自動実行する設定がされている場合、制御部１１は、指定色調整処理のステップＳ６、７、１２においてプリンター２の色再現性の調整を推奨した後、その調整を実行する指示を通信部１５によりプリンター２に送信し、推奨された調整を自動的に実行させる。
【００７１】
例えば、プリンター２の制御部２１は、通信部２５によりＰＣ１から、最高濃度調整、多次元キャリブレーション、グレーバランスキャリブレーション、キャリブレーション（一次元キャリブレーション）のいずれの実行指示が受信されると、指示された調整を実行する。例えば、制御部２１は、指示された調整に応じたチャートをプリント部２７により出力させ、出力されたチャートの各パッチをインラインセンサー２８により読み取らせる。そして、読み取られた各パッチの測色値に基づいて、指定された調整（ＬＵＴやカーブの生成）を行う。また、トーンカーブ調整の実行指示が受信された場合、制御部２１は、指定色調整処理で入力された調整値をＰＣ１から取得し、取得した調整値の傾向に基づいて、トーンカーブを調整する。
【００７２】
なお、制御部１１は、トーンカーブの調整をプリンター２に実行させる際には、併せて印刷対象の画像データをプリンター２に送信し、プリンター２に調整したトーンカーブを適用させて印刷対象の画像データに基づく確認画像を印刷させることとしてもよい。
【００７３】
このように、推奨される調整をプリンター２に自動的に実行させることで、推奨される調整を手動で実行する手間を省くことができる。
【００７４】
＜第２の実施形態＞
次に、本発明の第２の実施形態について説明する。
図７は、本発明の第２の実施形態に係る色調整システム２００の全体構成例を示す図である。
図７に示すように、第２の実施形態に係る色調整システム２００においては、第１の実施形態でＰＣ１に記憶されていた指定色調整アプリケーション１４１及び色変換プロファイル１４２と、Ｗｅｂ（World Wide Web）サーバープログラム１４３とがプリンター２の記憶部２４に記憶され、Ｗｅｂブラウザー１４４がＰＣ１の記憶部１４に記憶されている。その他のＰＣ１とプリンター２の構成は、第１の実施形態で説明したものと同様であるので説明を援用する。
【００７５】
色調整システム２００において、ＰＣ１からＷｅｂブラウザー１４４でプリンター２の指定色調整アプリケーション１４１のＵＲＬ（Uniform Resource Locator）にアクセスすると、プリンター２の制御部２１は、指定色調整アプリケーション１４１及びＷｅｂサーバープログラム１４３との協働により、図５に示す指定色調整処理を実行する。指定色調整処理において、指定色調整画面１３１を表示部１３に表示させる際には、制御部２１は、Ｗｅｂサーバーとして指定色調整画面１３１の画面データを通信部２５によりＰＣ１に送信し、Ｗｅｂブラウザー１４４により指定色調整画面１３１を表示部１３に表示させる。そして、指定色調整画面１３１を介して色調整対象の色の指定やその調整値の入力、印刷や確定の指示等のユーザー操作を受け付ける。また、プリンター調整を推奨するメッセージ画面を表示部１３に表示させる際には、制御部２１は、メッセージ画面の画面データを通信部２５によりＰＣ１に送信し、Ｗｅｂブラウザー１４４により指定色調整画面１３１を表示部１３に表示させる。
すなわち、第２の実施形態においては、プリンター２の制御部２１と、指定色調整アプリケーション１４１及びＷｅｂサーバープログラム１４３との協働により、本発明の制御装置が実現される。
【００７６】
このように、指定色調整アプリケーション１４１をプリンター２に記憶しておき、ＰＣ１からブラウザーでプリンター２の指定色調整アプリケーション１４１にアクセスして指定色調整処理を実行させる構成においても、本発明を実施することができ、第１の実施形態と同様の効果を奏することができる。
なお、第２の実施形態においても、第１の実施形態と同様に、推奨される調整を自動実行する構成としてもよい。また、第２の実施形態では、プリンター２がＷｅｂサーバーとしての機能を備え、Ｗｅｂブラウザー１４４を備えるＰＣ１からの入力を受け付けて指定色調整処理を実行することとしたが、プリンター２とは別途サーバーを備える構成とし、サーバーの制御部が指定色調整アプリケーション１４１、色変換プロファイル１４２、Ｗｅｂサーバープログラム１４３との協働により制御装置を実現することとしてもよい。
【００７７】
以上、本発明の第１及び第２の実施形態について説明したが、上述の実施形態は本発明の好適な一例であり、これに限定されない。
例えば、上記実施形態では、指定された色の数が閾値以上であるか否かを判定し、閾値以上ではない場合に、指定された色の調整影響範囲が重複しているか否かを判定し、重複していないと判定した場合に、指定された色の調整値に傾向があるか否かを判定することとして説明したが、指定された色の数及び／又は指定された色の調整影響範囲が重複しているか否かの判定を行わずに、指定された色の調整値に傾向があるか否かを判定することとしてもよい。そして、指定された色の調整値に傾向があると判定した場合に、トーンカーブ調整を推奨することとしてもよい。
【００７８】
同様に、上記実施形態では、指定された色の数が閾値以上であるか否かを判定し、閾値以上ではない場合に、指定された色の調整影響範囲が重複しているか否かを判定することとして説明したが、指定された色の数の判定を行わずに、指定された色の調整影響範囲が重複しているか否かを判定することとしてもよい。そして、重複していると判定した場合に、画像編集ソフトに戻って印刷対象の画像データを修正することを推奨するメッセージ画面を表示部１３に表示させることとしてもよい。
【００７９】
また、上記の説明では、本発明に係るプログラムのコンピュータ読み取り可能な媒体として、不揮発性メモリー、ハードディスク等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００８０】
その他、色調整システムを構成する各装置の細部構成及び細部動作に関しても、本発明の趣旨を逸脱することのない範囲で適宜変更可能である。
【符号の説明】
【００８１】
１００、２００  色調整システム
１  ＰＣ
１１  制御部
１２  操作部
１３  表示部
１４  記憶部
１４１  指定色調整アプリケーション
１４２  色変換プロファイル
１５  通信部
１６  バス
２  プリンター
２１  制御部
２２  操作部
２３  表示部
２４  記憶部
２５  通信部
２６  画像処理部
２７  プリント部
２８  インラインセンサー
２９  バス
【図１】
2019092050.tif 000003
【図２】
2019092050.tif 000004
【図３】
2019092050.tif 000005
【図４】
2019092050.tif 000006
【図５】
2019092050.tif 000007
【図６】
2019092050.tif 000008
【図７】
2019092050.tif 000009